(57)【要約】【課題】携帯便利、操作簡単の効果を実現する一種の電子発声装置を備える本の構造を提供すること。【解決手段】本考案は、一種の電子発声装置を備える本の構造に関わるもので、主に本形態の本体を設け、本体内部に複数枚の印刷文字または図画台紙を設けて、台紙の周りにおもて表紙を設ける。おもて表紙に中空状の収容室を設け、その内部に制御部材を設けて、制御部材はさらにスピーカに接続する。制御部材はおもて表紙表面に設ける接続部品に接続する。使用するとき、電子装置により、音声は接続部品を介して、制御部材に接続するメモリ装置に保存しておく、中空収容室の共鳴により、スピーカボックスのように、スピーカより再生する。このため、公知技術の電子本のよう外部に電子装置を設けて、音声を再生する必要がない。利用者は必要により、すべての内容を音声規格で制御部材に保存できるため、構造上が単純で、簡単に使用できる。【選択図】図２Ａ
0003121325.tif 000002
【実用新案登録請求の範囲】
【請求項１】
書籍の形態を構成する本体と、
本体の表面を覆い、内部に中空収容室を設ける表紙と、
中空収容室内部に設ける制御部材と、
中空収容室内部に設け、制御部材に接続可能なスピーカと、
表紙の表面に設け、制御部材に接続し、接続部品上に記憶装置を設ける接続部品と、からなり、
前記の構成部品によって、
使用するとき、外部電子装置を本体の制御部材に接続し、
利用者は必要に応じて音声ファイルを録音し、
音声ファイルを記憶装置に保存し、
制御部材の制御により、記憶装置に保存されたファイルはスピーカより音声を再生させ、
再生するとき、外部にその他の音源装置に接続する必要がなく、中空収容室の共鳴により、音声をはっきりと外部に再生できることを特徴とする、
一種の電子発声装置を備える本の構造。
【請求項２】
表紙の表面に音源コネクタを設けることを特徴とする請求項１記載の一種の電子発声装置を備える本の構造。
【請求項３】
制御部材は電気回路板またはチップを設けることを特徴とする請求項１記載の一種の電子発声装置を備える本の構造。
【請求項４】
スピーカは表紙の片側または両側に設けることを特徴とする請求項１記載の一種の電子発声装置を備える本の構造。
【考案の詳細な説明】
【技術分野】
【０００１】
本考案は電子発声装置を備える本の構造、特に一種本のおもて表紙に中空収容室を設け、その内部に設けるスピーカは中空収容室の共鳴により、録音された音声を再生する。
【背景技術】
【０００２】
通常、市販の書籍のほとんどは、図画や内容の豊富さなどを強調する。利用者は静態のみに読むことができる。しかし、子供にとって、乾燥無味で嫌がる。
そして、発声本はコンピュータ格式により、ＣＤ−ＲＯＭまたはその他保存装置に保存され、利用者は再生するときに、コンピュータまたはＰＤＡなどの外部電子装置を使用しなければならない。極めて不便を感じる。
【考案の開示】
【考案が解決しようとする課題】
【０００３】
さらに、前記の発声本の欠点を改善するため、特製の本と音声生成機構と結合したものが開発された。その音声生成機構は検出素子を設け、書籍のページを認識しておく、利用者が書籍のあるページを開いたとき、音声生成機構により、そのページに対応した特定の音声情報を生成する。または発声本上の発声必要場所にボタンを設けて、利用者はこのボタンを押して発声させる。この方法は語学学習分野に多く使われている。しかし、前記の発声本のすべては、業者があらかじめに音声を発声本に保存しているため、子供がその発声本を読むとき、保護者の親しい声を聞くことができない。また、友人よりその発声本を送るときのメッセージ、または綺麗な音楽を利用者本人に伝えることができない。よって、利用者にとって、音声機能を備えた文字又は図画の本に過ぎない。利用者がその発声本を読むときの感想を伝えることができない。利用者の必要に応じて、音声内容を変更することができないため、理想といえない。
【課題を解決するための手段】
【０００４】
本考案人は前記した公知技術の欠点の改善策を研究し、合理の解決を図り、分析、研究および設計を繰り返した結果、本考案の電子発声装置を備える本の構造を思案した。
【０００５】
本考案の主な目的は、主に本体を設け、本体に複数枚の文字又は図画を印刷した台紙を設ける。台紙の周りにおもて表紙を覆い、おもて表紙内部に中空収容室を設け、中空収容室内部に制御部材を設けて、制御部材はスピーカと記憶装置に接続する。制御部材の表面はおもて表紙表面に設ける接続部品と接続する。使用するとき、電子装置は接続部品により、本体内部の制御部材に接続する。利用者の需要に応じて、背景音楽、読書感想または書籍の内容などを音声ファイルに録音した上、その音声格式を記憶装置に保存しておく。使用するとき、制御部材の制御により、記憶装置に保存されたファイルはスピーカを介して、再生することができる。再生するときは、中空収容室の働きにより、外部音源装置に接続する必要がなく、音声を綺麗に外部へ発声できる一種の電子発声装置を備える本の構造を提供する。
【０００６】
本考案もう一つの目的は、おもて表紙の上部に音源コネクタを設け、この音源コネクタは制御部材に接続しておく、外出するとき、外部電子装置は音源コネクタを介して、制御部材に接続する。スピーカと中空収容室との組み合わせにより、本考案をスピーカボックスのように、外部電子装置の音楽または音声を再生できるため、携帯便利、操作が簡単、一種の電子発声装置を備える本の構造を提供する。
【０００７】
本考案もう一つの目的は、制御部材は手動スイッチまたは圧電スイッチに接続しておく、利用者は手動またはおもて表紙を開くによって、制御部材を起動し、スピーカより音声を再生する一種の電子発声装置を備える本の構造を提供する。
【０００８】
すなわち、本願の第１考案は、書籍の形態を構成する本体と、本体の表面を覆い、内部に中空収容室を設ける表紙と、中空収容室内部に設ける制御部材と、中空収容室内部に設け、制御部材に接続可能なスピーカと、表紙の表面に設け、制御部材に接続し、接続部品上に記憶装置を設ける接続部品と、からなり、前記の構成部品によって、使用するとき、外部電子装置を本体の制御部材に接続し、利用者は必要に応じて音声ファイルを録音し、音声ファイルを記憶装置に保存し、制御部材の制御により、記憶装置に保存されたファイルはスピーカより音声を再生させ、再生するとき、外部にその他の音源装置に接続する必要がなく、中空収容室の共鳴により、音声をはっきりと外部に再生できることを特徴とする、一種の電子発声装置を備える本の構造を提供する。
【０００９】
また、本願の第２考案は、表紙の表面に音源コネクタを設けることを特徴とする本願の第１考案に記載の一種の電子発声装置を備える本の構造を提供する。
【００１０】
また、本願の第３考案は、制御部材は電気回路板またはチップを設けることを特徴とする本願の第１考案に記載の一種の電子発声装置を備える本の構造を提供する。
【００１１】
また、本願の第４考案は、スピーカは表紙の片側または両側に設けることを特徴とする本願の第１考案に記載の一種の電子発声装置を備える本の構造を提供する。
【考案の効果】
【００１２】
本考案によれば、スピーカボックスのように、電子装置の音楽または音声を再生できるため、携帯便利、操作簡単の効果を実現できる。
【考案を実施するための最良の形態】
【００１３】
本考案に対して、より一層の理解を図るため、本考案は前記の目的を実現するために採用する手段およびその効果について、好ましい実施例と図式を合わせて、以下のとおり詳細説明する。
【実施例】
【００１４】
図１、２Ａ、２Ｂに示すとおり、本考案の電子発声装置を備える本の構造は主に本体１０を設け、本体１０は本の形態に仕上げる。本体１０上に複数の文字又は図画を印刷した台紙１１を設けて、利用者は静態の閲覧ができる。台紙１１表面はさらに、おもて表紙１２を設け、おもて表紙１２は台紙１１の両側を覆って、接続する。おもて表紙１２の内部に中空収容室１３を設け、中空収容室１３の側面に制御部材２０を設ける。本実施例において、電気回路板を設けるが、チップであっても良い。制御部材２０上にマイクロプロセッサーと記憶装置（図示していない）を設ける。収容室１３の片側または両側にスピーカ１４（図３、４に示す）を設け、スピーカ１４はさらに、制御部材２０に接続する。
【００１５】
おもて表紙１２側面の表面はさらに接続部品１５（本実施例において、コネクタを設ける）と音源コネクタ１６を設ける。接続部品１５と音源コネクタ１６は電気回路により、制御部材２０に接続する。制御部材２０は電気回路とスイッチ（図示していない）により、制御部材２０の作動を起動または休止させる。なお、このスイッチは手動スイッチまたは圧電スイッチを設けても良い。
【００１６】
図２Ａ、３、４、５に示すとおり、使用するとき、外部電子装置１７（コンピュータまたはＰＤＡ）は接続部品１５により、本体１０に備える制御部材２０に接続する。利用者は必要に応じて、録音プログラムをもって、音楽、読書感想または書籍の内容、推薦の言葉など音声ファイルを録音した上、この音声ファイルを記憶装置に保存する。制御部材２０の制御により、記憶装置に保存するファイルはスピーカ１４より再生できる。さらに、再生するとき、その他の外部音源装置に接続する必要がなく、中空収容室１３の共鳴作用により、音声をはっきり外部に発声できる。出先のとき、外部電子装置１７を音源コネクタ１６と制御部材２０に接続しておく、スピーカ１４と中空収容室１３との組み合わせにより、本考案はスピーカボックスのように、電子装置の音楽または音声を再生できるため、携帯便利、操作簡単の効果を実現できる。
【００１７】
前記の説明により、本考案の電子発声装置を備える本の構造全体が単純で、確実にいずれの組み合わせにより、効果を向上できる。
【図面の簡単な説明】
【００１８】
【図１】本考案一実施例の立体概略図である。
【図２Ａ】本考案一実施例の立体透視概略図である。
【図２Ｂ】本考案一実施例の透視拡大概略図である。
【図３】本考案を実施した場合の断面概略図である。
【図４】本考案もう一つの実施例の断面概略図である。
【図５】本考案を外部電子装置に接続した概略図である。
【符号の説明】
【００１９】
１０            本体
１１            台紙
１２            おもて表紙
１３            中空収容室
１４            スピーカ
１５            接続部品
１６            音声コネクタ
１７            外部電子装置
２０            制御部材
【図１】
0003121325.tif 000003
【図２Ａ】
0003121325.tif 000004
【図２Ｂ】
0003121325.tif 000005
【図３】
0003121325.tif 000006
【図４】
0003121325.tif 000007
【図５】
0003121325.tif 000008